(57)【要約】【課題】ヘッダーを円筒形の保温材によって覆った状態においても、容易に隙間なく継手部分を覆うことができるようになる管状保護カバー１ａを提供することを目的としている。【解決手段】接続管が接続される継手を包含する内径の筒状をした継手カバー部１１を一端に有する接続管の管状保護カバー１ａであって、前記継手カバー部１１が、その先端部壁面に沿って略鞍形状に形成された切り取りスリット１１ａを備えていることを特徴としている。【選択図】      図１
2009204035.tif 000002
【特許請求の範囲】
【請求項１】
接続管が接続される継手を包含する内径の筒状をした継手カバー部を少なくとも一端に有する接続管の管状保護カバーであって、前記継手カバー部が、その先端部壁面に沿って略鞍形状に形成された切り取りスリットあるいは薄肉部を備えていることを特徴とする管状保護カバー。
【請求項２】
他端に接続管を覆う鞘管との連結構造を備えている請求項１に記載の管状保護カバー。
【請求項３】
継手カバー部以外の部分の少なくとも一部が、管軸方向に伸縮可能な蛇腹構造に形成されている請求項１または請求項２に記載の管状保護カバー。
【発明の詳細な説明】
【技術分野】
【０００１】
本発明は、継手に接続される接続管の管状保護カバー、特にヘッダーに設けられた継手に接続される接続管の端部及び継手部分を覆うように用いられる管状保護カバーに関する。
【背景技術】
【０００２】
マンション等の集合住宅で普及しているヘッダー工法は、主給水管や主給湯管をまずヘッダーに接続し、このヘッダーで複数に分岐し、ヘッダーの分岐部に設けられた継手に各水廻り設備の水栓との接続管を１対１でつなげる工法であって、主給水管や主給湯管から継手を介して順次枝状に分岐させた接続管を、各水廻り設備の水栓につなげるようにした先分岐工法による配管に比べて、接続箇所が少なくて施工不良による漏水を格段に抑えることができ、また水廻り設備の同時使用時において流量変化が少なく、安定した給水、給湯も可能である。
また、各継手に接続される接続管は、架橋ポリエチレン管などの合成樹脂管が主に用いられ、給湯用だけでなく、給水管として用いられる場合においても、管の傷つき防止、保温、ウォーターハンマーなどの騒音の防止等を目的として床下などの土間上に敷設した鞘管内に挿通されるのが一般的になっている。
【０００３】
ところで、ヘッダーに接続された継手は、継手に接続される接続管より太くなっているため、鞘管のみで接続管だけでなく継手部分まで被覆しようとすれば、鞘管を大きな径にしなければならない。しかし、鞘管全体の径を大きなものにすると、配管スペースが狭くなるという問題がある。
そこで、図６及び図７に示すように、一端に継手１００の外周を覆う包被部２１０を有し、他端に鞘管３００内に挿入される挿入部２２０を備える端末用の管状保護カバー（端末接続具）２００が継手部分を被覆するために使用されている（特許文献１参照）。
【０００４】
すなわち、この管状保護カバー２００は、図７に示すように、接続管４００が挿入された鞘管３００の端部に挿入部２２０を挿入した状態で、接続管４００の端部を包被部２１０先端から外部に露出させた状態で接続管４００の端部を継手１００に接続し、その後、シーリングキャップ３１０を取り外した状態で、包被部２１０によって継手１００が覆われるまで、管状保護カバー２００を継手１００方向にスライドさせたのち、シーリングキャップ３１０を鞘管３００に外嵌させて接続管４００の鞘管３００から出た部分を覆うとともに、継手１００部分も覆った状態に保持できるようになっている。また、継手２００部分を確実に覆うことから、万一継手２００部分から漏れ出た流体を鞘管３００内に確実に導くことができ、漏れ出た流体が周囲に放出され、周囲の壁面等を汚すことがない。
【０００５】
しかしながら、図7及び図８に示すように、ヘッダー５００には継手１００の部分を残し、円筒状をした保温材６００で覆われていることが多いが、かかる場合、図８及び図９に示すように、管状保護カバー２００が、保温材６００の壁面に当たるため、継手１００の一部が露出状態で残ってしまい、見栄えが悪い。
また、このような露出部があると、保温性に問題があるとともに、この隙間部分からウォーターハンマーにより発生する衝撃音や配管内を流れる水の音が騒音として漏れ出やすい。さらに、例えば、給湯配管である場合、継手１００に接触して火傷を負うおそれがあり、給水配管である場合、継手１００部分が外気にあたり結露しやすいといった問題もある。
【０００６】
他方、ヘッダーとこのヘッダーの管軸方向に間隔をあけて直線状に並ぶように設けられた分岐継手とを、一括して保温できるようにした保温材が提案されている（特許文献２，３参照）。
【０００７】
この保温材は、ヘッダーと分岐継手部分の外形形状と略同じ内面形状をした凹部を有し、一直線に並んだ継手の管軸同士を結ぶ直線に沿って継手用凹部と反対側の壁面の一部が連結された状態で二つ割りに分割されている。
そして、上記の連結部を中心に一方の分割部を回動させて、凹部を二つ割り状態に開放し、一方の分割部の分割凹部に、まず、ヘッダーと分岐継手の半分を嵌め込んだのち、他方の分割部を、連結部を中心に凹部が閉じる方向に回動させ、ヘッダーと分岐継手の残りの半分を他方の分割部の分割凹部に嵌め込むようになっている。
【０００８】
したがって、この保温材と、上記管状保護カバー２００を併用すれば、上記問題が解決できるのである。
しかしながら、この保温材の場合、継手が同じピッチで並んでいるとともに、同じ形状をした継手しか使用不可能であるため、継手のピッチや、継手の径や形状が異なるごとにそれぞれにあった保温材を用意しなければならず、コストがかかるという問題がある。
【０００９】
【特許文献１】実公平６−３２５５３号公報
【特許文献２】特開２００５−１８０５１９号公報
【特許文献３】特開２００７−３２１８０８号公報
【発明の開示】
【発明が解決しようとする課題】
【００１０】
本発明は、上記事情に鑑みて、ヘッダーを円筒形の保温材によって覆った状態においても、容易に隙間なく継手部分を覆うことができるようになる管状保護カバーを提供することを目的としている。
【課題を解決するための手段】
【００１１】
上記目的を達成するために、本発明にかかる管状保護カバーは、接続管が接続される継手を包含する内径の筒状をした継手カバー部を少なくとも一端に有する接続管の管状保護カバーであって、前記継手カバー部が、その先端部壁面に沿って略鞍形状に形成された切り取りスリットあるいは薄肉部を備えていることを特徴としている。
【００１２】
本発明の管状保護カバーは、他端がどのようになっていても構わないが、例えば、接続管を覆う鞘管との連結構造を備えていることが好ましい。
また、継手カバー部以外の部分の少なくとも一部が、管軸方向に伸縮可能な蛇腹構造に形成されていてもよい。
【００１３】
本発明の管状保護カバーの材質としては、特に限定されないが、ポリエチレンやポリプロピレン等の熱可塑性樹脂が挙げられ、それらの発泡体でも構わない。
【発明の効果】
【００１４】
以上のように、本発明にかかる管状保護カバーは、接続管が接続される継手を包含する内径の筒状をした継手カバー部を少なくとも一端に有する接続管の管状保護カバーであって、前記継手カバー部が、その先端部壁面に沿って略鞍形状に形成された切り取りスリットあるいは薄肉部を備えているので、切り取りスリットに沿って継手カバー部の先端部を切り取るか、薄肉部に沿って継手カバー部の先端部を内側に折り曲げることによって、継手カバー部の保温材に接する端面が略鞍状になる。
したがって、この略鞍状の端面形状となった継手カバー部の先端切り取り部あるいは折り曲げ部の端面の継手カバー部先端からもっと管軸方向に凹設された部分がヘッダーの管軸に平行な露出用孔の中心軸に沿う線分に一致するように保温材に受けさせれば、切り取り部あるいは折り曲げ部の端面が露出用孔の周囲の保温材壁面に略全周にわたって受けられる。
すなわち、継手カバー部によって、ほぼ隙間なく継手部分を覆うことができ、保温性が高くなるとともに、ウォーターハンマーにより発生する衝撃音や配管内を流れる水の音が騒音として漏れ出にくくなる。また、例えば、給湯配管である場合においても継手に接触して火傷を負うことがなくなり、給水配管においても場合、継手部分が外気にあたりにくく、結露しにくくなる。
【発明を実施するための最良の形態】
【００１５】
以下に、本発明を、その実施の形態をあらわす図面を参照しつつ詳しく説明する。
図１は、本発明にかかる管状保護カバーの第１の実施の形態をあらわしている。
【００１６】
図１に示すように、この管状保護カバー１ａは、一端に継手カバー部１１、他端に鞘管２への挿入部１２を備えている。図１中、２１はシーリングキャップである
継手カバー部１１は、後述するヘッダー５に設けられた袋ナット固定式の継手３を包含する大きさの筒状をしていて、先端部壁面に鞍状をした破線状に形成された切り取りスリット１１ａを備えている。
【００１７】
挿入部１２は、内部に接続管４が挿入された状態で鞘管２に挿入可能で、シーリングキャップ２１を鞘管２に外嵌させることによって、所望の挿入位置に固定できるようになっている。
【００１８】
この管状保護カバー１ａは、上記のようになっており、図２に示すように、ヘッダー５に継手３の露出用孔６１部分を除き、円筒状をした保温材６によって覆った場合、まず、切り取りスリット１１ａに沿って先端部を切り取った状態にし、鞍状の端面形状をした切り取り部１３の端面を、切り取り部１３の管軸方向に最も凹んだ部分がヘッダー５の管軸に平行な露出用孔６１の中心軸に沿う線分に一致するように保温材６に受けさせれば、図３及び図４に示すように、切り取り部１３の端面が露出用孔６１の周囲の保温材壁面に略全周にわたって受けられる。
したがって、継手３がほぼ完全に継手カバー部１１によって覆われた状態となり、ウォーターハンマーにより発生する衝撃音や配管内を流れる水の音が騒音として漏れ出にくくなる。また、例えば、給湯配管である場合においても継手３に接触して火傷を負うことがなくなり、給水配管においても場合、継手３部分が外気にあたりにくく、結露しにくくなる。
【００１９】
図５は、本発明にかかる管状保護カバーの第２の実施の形態をあらわしている。
図５に示すように、この管状保護カバー１ｂは、一端に継手カバー部１４を有し、他端に鞘管２との嵌合部１５を備えているとともに、中間部１６が管軸方向に伸縮自在な蛇腹構造となっている。
【００２０】
継手カバー部１４は、先端部壁面に鞍状に形成された薄肉部１４ａを備えている。
嵌合部１５は、鞘管２の端部に外嵌されて鞘管２に弾性係止されるようになっている。
【００２１】
この管状保護カバー１ｂは、上記のように、継手カバー部１４が先端部壁面に鞍状に形成された薄肉部１４ａを備えているので、薄肉部１４ａに沿って継手カバー部１４の先端部壁面を内側に容易に折り曲げることができる。そして、この折り曲げよって、継手カバー部１４は、先端面が切り取りスリット１１ａに沿って切り取った同じ状態になり、上記管状保護カバー１ａと同様に継手３をほぼ完全に継手カバー部１１によって覆った状態にすることができる。しかも、内側に折り曲げ部が存在するので、この折り曲げ部が継手３の側壁面に圧接し、継手カバー部１４が継手３を覆った状態にしっかりと固定できる。
また、中間部１６が管軸方向に伸縮自在な蛇腹構造となっているので、上記の管状保護カバー１ａのようにシーリングキャップ２１の着脱をする必要がなく、鞘管２端部からの出代の調整が容易である。
【００２２】
本発明は、上記の実施の形態に限定されない。例えば、上記の実施の形態では、継手として袋ナットネジ止式の継手が用いられていたが、接続管の挿入によりジャンパーピンが外れて、ジャンパーピンによって拡径状態に保たれていた弾性締め付け部材が縮径して接続管が抜け止めされた状態となる所謂ワンタッチ継手（例えば、積水化学工業社製商品名エスロカチット）を用いるようにしても構わない。
上記の実施の形態では、切り取りスリット部分で切り取るようにしていたが、切り取りスリット部に沿って内側に折り曲げるようにしても構わない。
【００２３】
また、上記の実施の形態では、切り取りスリットに沿って切り取るあるいは薄肉部に沿って折り曲げるようにしていたが、例えば、継手と保温材の孔との隙間に継手カバー部を嵌め込むような構造とする場合は、切り取りスリットに沿って切り取るあるいは薄肉部に沿って折り曲げる必要はない。
さらに、上記の実施の形態では、ヘッダー側の継手と接続管との接続部を覆うように設けられるようになっていたが、各水廻り設備の水栓や給湯栓側の接続部にも本発明の管状保護カバーを用いることができる。
【００２４】
また、上記の実施の形態では、継手カバー部が一端に設けられていたが、両端に設けられていても構わない。
また、継手カバー部が保温材を内蔵していてもよい。このように保温材を内蔵した構造とすれば、一層保温性、遮音性が向上する。
【図面の簡単な説明】
【００２５】
【図１】本発明にかかる管状保護カバーの第１の実施の形態であって、その側面図である。
【図２】図１の管状保護カバーの継手カバー部によって継手部分を覆う直前の状態を示す一部切欠断面図である。
【図３】図１の管状保護カバーの継手カバー部によって継手部分を覆った状態を示す図である。
【図４】図３のＸ−Ｘ線断面図である。
【図５】本発明にかかる管状保護カバーの第２の実施の形態であって、その側面図である。
【図６】従来の管状保護カバーの斜視図である。
【図７】図６の管状保護カバーの継手カバー部によって継手部分を覆う直前の状態を示す一部切欠断面図である。
【図８】図７の管状保護カバーの継手カバー部によって継手部分を覆った状態を示す図である。
【図９】図８のＹ−Ｙ線断面図である。
【符号の説明】
【００２６】
１ａ，１ｂ  管状保護カバー
１１，１４  継手カバー部
１１ａ  切り取りスリット
１４ａ  薄肉部
１６  中間部（蛇腹構造部）
２  鞘管
３  継手
４  接続管
【図１】
2009204035.tif 000003
【図２】
2009204035.tif 000004
【図３】
2009204035.tif 000005
【図４】
2009204035.tif 000006
【図５】
2009204035.tif 000007
【図６】
2009204035.tif 000008
【図７】
2009204035.tif 000009
【図８】
2009204035.tif 000010
【図９】
2009204035.tif 000011